(57)【特許請求の範囲】
【請求項１】
左右両側にそれぞれ設けられた２つのサイドブラケットと、両側の前記サイドブラケットの間に接続された横ブレースアセンブリを含む展開状態及び折り畳み状態となるベビーカーフレーム、前記ベビーカーフレームの底部の前部に設けられた前輪アセンブリ、前記ベビーカーフレームの底部の後部に設けられた後輪アセンブリ、及び前記ベビーカーフレームを展開状態にロックするためのロック機構を含むベビーカーであって、
各側の前記サイドブラケットは、いずれもそれぞれが上下方向に沿って延在する前部ブラケット、後部ブラケット、プッシュロッド及び上部支持ロッドを含み、前記前部ブラケットの上部と前記後部ブラケットの上部と前記上部支持ロッドの下部の３つの部材うちの２つの部材が回転可能に接続され、且つ、残りの部材が前記２つの部材のうちの１つの部材に回転可能に接続され、あるいは、前記３つの部材が同一の回動中心線の回りに回転可能に接続され、前記上部支持ロッドの上部が前記プッシュロッドの下部に回転可能に接続され、
各側の前記サイドブラケットは、上部リンク、後部リンク、下部リンク、及び前記後部ブラケットの長手方向に沿って上下に摺動可能に前記後部ブラケットに設けられたスライダを更に含み、前記後部リンクが前記上部支持ロッドに回転可能に接続され、前記後部リンクの一端が前記スライダに回転可能に接続され、前記後部リンクの他端が前記上部リンクの下部に回転可能に接続され、前記上部リンクの上部が前記プッシュロッドに回転可能に接続され、前記下部リンクの一端が前記前部ブラケットに回転可能に接続され、前記下部リンクの他端が前記スライダに回転可能に接続され、前記ベビーカーフレームを折り畳む場合、前記スライダは、前記後部ブラケットに沿って下へ摺動し、前記上部支持ロッドは後ろへ反転して前記後部ブラケットの後側に収納される
ことを特徴とするベビーカー。
【請求項２】
前記前部ブラケットの上部は第１の軸を介して前記後部ブラケットの上部に回転可能に接続され、前記上部支持ロッドの下部は第２の軸を介して前記後部ブラケットの上部に回転可能に接続され、前記第１の軸と第２の軸とは互いに平行でまたは同一線上に延在し、前記上部支持ロッドの上部は第３の軸を介して前記プッシュロッドの下部に回転可能に接続され、前記後部リンクは第４の軸を介して前記上部支持ロッドに回転可能に接続され、前記第４の軸は、前記上部支持ロッドで前記第２の軸と前記第３の軸との間に位置し、前記下部リンクの前部は第５の軸を介して前記前部ブラケットに回転可能に接続され、前記
第５の軸は、前記前部ブラケットで前記第１の軸の下方に位置する
ことを特徴とする請求項１に記載のベビーカー。
【請求項３】
前記上部リンクの上部は第６の軸を介して前記プッシュロッドに回転可能に接続され、前記第６の軸は前記プッシュロッドで前記第３の軸の上方に位置し、前記上部リンクの下部は第７の軸を介して前記後部リンクの上部に回転可能に接続され、前記後部リンクの下部は第８の軸を介して前記スライダに回転可能に接続され、前記第７の軸及び前記第８の軸は、前記後部リンクで前記第４の軸の上下両側にそれぞれ設けれ、前記下部リンクの後部が第９の軸を介して前記スライダに回転可能に接続され、前記第８の軸と前記第９の軸とが互いに平行でまたは同一線上に延在する
ことを特徴とする請求項２に記載のベビーカー。
【請求項４】
前記スライダは、前記後部ブラケットの長手方向に沿って上下に摺動する摺動ロッドであり、前記後部リンクの下部及び前記下部リンクの後部は、それぞれ前記摺動ロッドの下部に回転可能に接続されている
ことを特徴とする請求項１に記載のベビーカー。
【請求項５】
前記後部ブラケットの内側に、前記摺動ロッドのスライドガイドを提供するためのガイド構造が設けられ、前記ベビーカーフレームが展開状態にある場合、各側の前記サイドブラケットにおいて、前記摺動ロッドは前記後部ブラケットから上へ延出し、前記摺動ロッド及び前記後部ブラケットは１つの長手方向に沿って延在し、前記ベビーカーフレームが折り畳み状態にある場合、前記摺動ロッドは前記後部ブラケットの内側に収納される
ことを特徴とする請求項４に記載のベビーカー。
【請求項６】
各側の前記サイドブラケットは、サイドリンクであって、前記サイドリンクの一端が前記摺動ロッドの上端部と回転可能に接続され、前記サイドリンクの他端が前記上部リンクの長手方向に沿って上下に摺動しながら前記上部リンクに対して回動可能に前記上部リンクに接続されているサイドリンクを更に含む
ことを特徴とする請求項４に記載のベビーカー。
【請求項７】
前記サイドリンクと前記摺動ロッドの上端部との間は第１０の軸を介して回転可能に接続され、前記サイドリンクの他端にリンクスライダが回転可能に接続され、前記リンクスライダは上下に摺動可能に前記上部リンクに設けられ、前記ベビーカーフレームが展開状態にある場合、前記第１０の軸は前記リンクスライダの前方に位置する
ことを特徴とする請求項６に記載のベビーカー。
【請求項８】
前記サイドリンクは、後部が前記リンクスライダに回転可能に接続された第１のサイドロッドと、前記第１のサイドロッドから下へ延在する第２のサイドロッドを含み、前記第２のサイドロッドの下端部は前記摺動ロッドの上端部に回転可能に接続され、両側の前記第１のサイドロッドの前部の間にサイドクロスロッドが更に接続され、両側の前記サイドリンクと前記サイドクロスロッドとの間に手すりアセンブリが形成される
ことを特徴とする請求項７に記載のベビーカー。
【請求項９】
各側の前記サイドブラケットは、シートポストアセンブリを更に含み、前記シートポストアセンブリは、前部シートポスト及び後部シートポストを含み、前記前部シートポストの前部は第１１の軸を介して前記摺動ロッドの上部または前記サイドリンクの下部に回転可能に接続され、前記前部シートポストの後部は第１２の軸を介して前記後部シートポストの前部に回転可能に接続され、前記後部シートポストの後部は第１３の軸を介して前記後部リンクに回転可能に接続され、前記第１１の軸と前記第１０の軸は互いに平行でまたは同一線上に延在し、前記第１３の軸は、前記後部リンクで前記後部リンクと前記上部リ
ンクとが相対的に回動する中心線の下方に位置する
ことを特徴とする請求項７に記載のベビーカー。
【請求項１０】
前記横ブレースアセンブリは、両側の前記前部ブラケットの下部の間に固定された前横ロッド、両側の前記プッシュロッドの上部の間に固定された上部横ロッド、及び／又は両側の前記下部リンクの間に固定された１本または複数本の下部横ロッドを含み、両側の前記前部ブラケットと前記前横ロッドとの間に、上方に開口するＵ字型ロッドが形成され、両側の前記プッシュロッドと前記上部横ロッドとの間に、下方に開口するＵ字型ロッドが形成される
ことを特徴とする請求項１〜９のいずれか１項に記載のベビーカー。
【請求項１１】
各側前記サイドブラケットの前記前部ブラケット、後部ブラケット、上部支持ロッド、プッシュロッド、上部リンク、後部リンク及び下部リンクが互いに収納され、前記ベビーカーフレームの１次折り畳みを実現した後、両側の前記サイドブラケットは、左右方向に沿って前記横ブレースアセンブリに対して対向して折り返され、前記ベビーカーフレームの２次折り畳みを実現する
ことを特徴とする請求項１〜９のいずれか１項に記載のベビーカー。
【請求項１２】
前記横ブレースアセンブリは、両側の前記前部ブラケットの間に設けられた第１の横ブレース、両側の前記後部ブラケットの間に設けられた第２の横ブレース、及び両側の前記プッシュロッドの間に設けられた第３の横ブレースを含み、前記第１の横ブレースはそれぞれ１−１軸を介して両側の前記前部ブラケットに回転可能に接続され、前記第２の横ブレースはそれぞれ２−１軸を介して両側の前記後部ブラケットに回転可能に接続され、前記第３の横ブレースはそれぞれ３−１軸を介して両側の前記プッシュロッドに回転可能に接続され、前記ベビーカーフレームが前記１次折り畳みを完了した後、同じ側の前記１−１軸、２−１軸及び３−１軸は互いに平行でまたは同一線上に延在する
ことを特徴とする請求項１１に記載のベビーカー。
【請求項１３】
前記横ブレースアセンブリは左右方向に沿って折り畳み可能に両側の前記サイドブラケットの間に設けられ、前記横ブレースアセンブリは、それぞれが左右方向に沿って展開及び収納できる底部ブレースロッドアセンブリ及び／又は後部ブレースロッドアセンブリを含み、前記底部ブレースロッドアセンブリは、両側の前記前部ブラケットと両側の前記後部リンクの下部または前記スライダとの間に設けられ、前記後部ブレースロッドアセンブリは、両側の前記後部ブラケットと両側の前記下部リンクの後部または前記スライダとの間に設けられている
ことを特徴とする請求項１〜９のいずれか１項に記載のベビーカー。
【請求項１４】
前記後部ブレースロッドアセンブリは、後部十字形ブレースアセンブリであり、前記後部十字形ブレースアセンブリは、中間部分が回転可能に接続された２本の後部ブレースロッドを含み、各本の前記後部ブレースロッドの一端が回動可能に一方側の前記後部ブラケットの上部に接続され、且つ他端が回動可能に他方側の前記下部リンクの後部に接続され、または回動可能に前記スライダに接続され、
前記底部ブレースロッドアセンブリは、互いの端部がそれぞれ回転可能に接続された２組の第１のロッド及び第２のロッドを含み、２つの前記第１のロッドの中間部分が回転可能に接続され、且つ２組の前記第２のロッドの中間部分が回転可能に接続され、２本の前記第１のロッドの他端がそれぞれ回動可能に、一方側の前記サイドブラケットの前記前部ブラケット及び前記後部リンクの下部に接続され、２本の前記第２のロッドの他端がそれぞれ回動可能に、他方側の前記サイドブラケットの前記後部リンクの下部及び前記前部ブラケットに接続されている
ことを特徴とする請求項１３に記載のベビーカー。
【請求項１５】
前記横ブレースアセンブリは、両側の前記プッシュロッド上部の間に設けられた上部ブレースロッドアセンブリを更に含み、前記上部ブレースロッドアセンブリは、互いの端部が回転可能に接続された２本の上部ブレースロッドを含み、２本の前記上部ブレースロッドの他端がそれぞれ前記プッシュロッドの上部に回転可能に接続される
ことを特徴とする請求項１３に記載のベビーカー。
【発明の詳細な説明】
【技術分野】
【０００１】
本発明は、ベビーカーに関する。
【背景技術】
【０００２】
従来技術において、ベビーカーの種類が多く、そのロッド部材の接続もそれぞれ異なり、それに対応し、各ベビーカーの折り畳み原理及び折り畳まれた後の構造も異なっている。現在、市場に存在するベビーカーは、ロッド部材の数が多く、折り畳まれた後の構造の寸法が大きい等の欠点が存在することが多く、製造コストが高く、日常の格納及び持ち運びもしにくい。一部のベビーカーは折り畳み体積が小さいが、折り畳み操作が煩雑で、通常、複数のステップを踏まないと折り畳み操作を完了できない。
【発明の概要】
【０００３】
本発明は、構造が簡単で、折り畳みや操作がしやすく、平らに折り畳まれて体積が小さいベビーカーを提供することを目的とする。
【０００４】
上記目的を達成するために、本発明が採用する技術案は以下のとおりである。左右両側にそれぞれ設けられた２つのサイドブラケットと、両側の前記サイドブラケットの間に接続された横ブレースアセンブリを含む展開状態及び折り畳み状態を有するベビーカーフレーム、前記ベビーカーフレームの底部の前部に設けられた前輪アセンブリ、前記ベビーカーフレームの底部の後部に設けられた後輪アセンブリ、及び前記ベビーカーフレームを展開状態にロックするためのロック機構を含むベビーカーであって、各側の前記サイドブラケットは、いずれもそれぞれが上下方向に沿って延在する前部ブラケット、後部ブラケット、プッシュロッド及び上部支持ロッドを含み、前記前部ブラケットの上部、前記後部ブラケットの上部及び前記上部支持ロッドの下部という３つの部材のうちの２つの部材が回転可能に接続され、且つ、３つ目の部材が前述した２つの部材のうちの１つの部材に回転可能に接続され、あるいは、前記３つの部材が同一の回動中心線の回りに回転可能に接続され、前記上部支持ロッドの上部が前記プッシュロッドの下部に回転可能に接続され、
【０００５】
各側の前記サイドブラケットは、上部リンク、後部リンク、下部リンク、及び前記後部ブラケットの長手方向に沿って上下に摺動可能に前記後部ブラケットに設けられたスライダを更に含み、前記後部リンクが前記上部支持ロッドに回転可能に接続され、前記後部リンクの一端が前記スライダに回転可能に接続され、前記後部リンクの他端が前記上部リンクの下部に回転可能に接続され、前記上部リンクの上部が前記プッシュロッドに回転可能に接続され、前記下部リンクの一端が前記前部ブラケットに回転可能に接続され、前記下部リンクの他端が前記スライダに回転可能に接続され、前記ベビーカーフレームを折り畳む場合、前記スライダは、前記後部ブラケットに沿って下へ摺動し、前記上部支持ロッドは後ろへ反転して前記後部ブラケットの後側に収納されるベビーカー。
【０００６】
好ましくは、前記プッシュロッド、上部支持ロッド、上部リンク及び前記後部リンクの間は、４節リンク機構を構成し、前記後部リンク、上部支持ロッド、後部ブラケット及びスライダの間は、第１のクランクスライド機構を構成し、前記前部ブラケット、後部ブラケット、下部リンク及びスライダの間は、第２のクランクスライド機構を構成し、前記プッシュロッドは、前記上部支持ロッドに対して回動すると、前記４節リンク機構と第１のクランクスライド機構と第２のクランクスライド機構とを駆動して、前記ベビーカーフレームの展開または折り畳みを実現する。
【０００７】
好ましくは、前記前部ブラケットの上部は第１の軸を介して前記後部ブラケットの上部
に回転可能に接続され、前記上部支持ロッドの下部は第２の軸を介して前記後部ブラケットの上部に回転可能に接続され、前記第１の軸と第２の軸とは互いに平行でまたは同一線上に延在し、前記上部支持ロッドの上部は第３の軸を介して前記プッシュロッドの下部に回転可能に接続され、前記後部リンクは第４の軸を介して前記上部支持ロッドに回転可能に接続され、前記第４の軸は、前記上部支持ロッドで前記第２の軸と前記第３の軸との間に位置し、前記下部リンクの前部は第５の軸を介して前記前部ブラケットに回転可能に接続され、前記第５の軸は、前記前部ブラケットで前記第１の軸の下方に位置する。
【０００８】
更に、前記上部リンクの上部は第６の軸を介して前記プッシュロッドに回転可能に接続され、前記第６の軸は前記プッシュロッドで前記第３の軸の上方に位置し、前記上部リンクの下部は第７の軸を介して前記後部リンクの上部に回転可能に接続され、前記後部リンクの下部は第８の軸を介して前記スライダに回転可能に接続され、前記第７の軸及び前記第８の軸は、前記後部リンクで前記第４の軸の上下両側にそれぞれ設けれ、前記下部リンクの後部が第９の軸を介して前記スライダに回転可能に接続され、前記第８の軸と前記第９の軸とが互いに平行でまたは同一線上に延在する。
【０００９】
好ましくは、前記スライダは、前記後部ブラケットの長手方向に沿って上下に摺動する摺動ロッドであり、前記後部リンクの下部及び前記下部リンクの後部は、それぞれ前記摺動ロッドの下部に回転可能に接続されている。
【００１０】
更に、前記後部ブラケットの内側に、前記摺動ロッドのスライドガイドを提供するためのガイド構造が設けられ、前記ベビーカーフレームが展開状態にある場合、各側の前記サイドブラケットにおいて、前記摺動ロッドは前記後部ブラケットから上へ延出し、前記摺動ロッド及び前記後部ブラケットは１つの長手方向に沿って延在し、前記ベビーカーフレームが折り畳み状態にある場合、前記摺動ロッドは前記後部ブラケットの内側に収納される。
【００１１】
更に、各側の前記サイドブラケットは、一端が前記摺動ロッドの上端部に回転可能に接続され、他端が相対的に回動したり、前記上部リンクの長手方向に沿って上下に摺動可能に前記上部リンクに接続されたりするサイドリンクを更に含む。
【００１２】
更に、前記サイドリンクと前記摺動ロッドの上端部との間は第１０の軸を介して回転可能に接続され、前記サイドリンクの他端にリンクスライダが回転可能に接続され、前記リンクスライダは上下に摺動可能に前記上部リンクに設けられ、前記ベビーカーフレームが展開状態にある場合、前記第１０の軸は前記リンクスライダの前方に位置する。
【００１３】
具体的な実施形態として、前記サイドリンクは、その後部が前記リンクスライダに回転可能に接続された第１のサイドロッドと、前記第１のサイドロッドから下へ延在する第２のサイドロッドとを含み、前記第２のサイドロッドの下端部は前記摺動ロッドの上端部に回転可能に接続され、両側の前記第１のサイドロッドの前部の間にサイドクロスロッドが更に接続され、両側の前記サイドリンクと前記サイドクロスロッドとの間に手すりアセンブリが形成される。
【００１４】
更に、各側の前記サイドブラケットは、シートポストアセンブリを更に含み、前記シートポストアセンブリは、前部シートポスト及び後部シートポストを含み、前記前部シートポストの前部は第１１の軸を介して前記摺動ロッドの上部または前記サイドリンクの下部に回転可能に接続され、前記前部シートポストの後部は第１２の軸を介して前記後部シートポストの前部に回転可能に接続され、前記後部シートポストの後部は第１３の軸を介して前記後部リンクに回転可能に接続され、前記第１１の軸と前記第１０の軸とは互いに平行でまたは同一線上に延在し、前記第１３の軸は、前記後部リンクで前記後部リンクと前
記上部リンクとが相対的に回動する中心線の下方に位置する。
【００１５】
好ましくは、各側の前記前部ブラケットの下部には、いずれも１組の前記前輪アセンブリが設けられ、各側の前記後部ブラケットの下部には、いずれも１組の前記後輪アセンブリが設けられ、前記前部ブラケット及び前記後部ブラケットが前後方向に沿って収納される時、２組の前記前輪アセンブリは左右方向に沿って２組の前記後輪アセンブリの間に収納される。
【００１６】
好ましくは、前記プッシュロッドは、下部プッシュロッドと、前記下部プッシュロッドの長手方向に沿って摺動可能に前記下部プッシュロッドに接続された上部プッシュロッドとを含み、前記下部プッシュロッドの下部は前記上部支持ロッドの上部に回転可能に接続され、前記上部リンクの上部は前記下部プッシュロッドに回転可能に接続されている。
【００１７】
好ましくは、前記横ブレースアセンブリは、両側の前記前部ブラケットの下部の間に固定された前横ロッド、両側の前記プッシュロッドの上部の間に固定された上部横ロッド、及び／又は両側の前記下部リンクの間に固定された１本または複数本の下部横ロッドを含み、両側の前記前部ブラケットと前記前横ロッドとの間に、上方に開口するＵ字型ロッドが形成され、両側の前記プッシュロッドと前記上部横ロッドとの間に、下方に開口するＵ字型ロッドが形成される。
【００１８】
好ましくは、各側前記サイドブラケットの前記前部ブラケット、後部ブラケット、上部支持ロッド、プッシュロッド、上部リンク、後部リンク及び下部リンクが互いに収納されて前記ベビーカーフレームの１次折り畳みを実現した後、両側の前記サイドブラケットは、左右方向に沿って前記横ブレースアセンブリに対して対向して折り返され、前記ベビーカーフレームの２次折り畳みを実現する。
【００１９】
更に、前記横ブレースアセンブリは、両側の前記前部ブラケットの間に設けられた第１の横ブレース、両側の前記後部ブラケットの間に設けられた第２の横ブレース、及び両側の前記プッシュロッドの間に設けられた第３の横ブレースを含み、前記第１の横ブレースはそれぞれ１−１軸を介して両側の前記前部ブラケットに回転可能に接続され、前記第２の横ブレースはそれぞれ２−１軸を介して両側の前記後部ブラケットに回転可能に接続され、前記第３の横ブレースはそれぞれ３−１軸を介して両側の前記プッシュロッドに回転可能に接続され、前記ベビーカーフレームが前記１次折り畳みを完了した後、同じ側の前記１−１軸、２−１軸及び３−１軸は互いに平行でまたは同一線上に延在する。
【００２０】
好ましくは、前記横ブレースアセンブリは左右方向に沿って折り畳み可能に両側の前記サイドブラケットの間に設けられ、前記横ブレースアセンブリは、それぞれが左右方向に沿って展開及び収納できる底部ブレースロッドアセンブリ及び／又は後部ブレースロッドアセンブリを含み、前記底部ブレースロッドアセンブリは、両側の前記前部ブラケットと両側の前記後部リンクの下部または前記スライダとの間に設けられ、前記後部ブレースロッドアセンブリは、両側の前記後部ブラケットと両側の前記下部リンクの後部または前記スライダとの間に設けられている。
【００２１】
更に、前記後部ブレースロッドアセンブリは、後部十字形ブレースアセンブリであり、前記後部十字形ブレースアセンブリは、中間部分が回転可能に接続された２本の後部ブレースロッドを含み、各本の前記後部ブレースロッドの一端が回動可能に一方側の前記後部ブラケットの上部に接続され、且つ他端が回動可能に他方側の前記下部リンクの後部に接続され、または回動可能に前記スライダに接続され、
【００２２】
前記底部ブレースロッドアセンブリは、互いの端部がそれぞれ回転可能に接続された２
組の第１のロッド及び第２のロッドを含み、２つの前記第１のロッドの中間部分が回転可能に接続され、且つ２組の前記第２のロッドの中間部分が回転可能に接続され、２本の前記第１のロッドの他端がそれぞれ回動可能に、一方側の前記サイドブラケットの前記前部ブラケット及び前記後部リンクの下部に接続され、２本の前記第２のロッドの他端がそれぞれ回動可能に、他方側の前記サイドブラケットの前記後部リンクの下部及び前記前部ブラケットに接続されている。
【００２３】
更に、前記横ブレースアセンブリは、両側の前記プッシュロッド上部の間に設けられた上部ブレースロッドアセンブリを更に含み、前記上部ブレースロッドアセンブリは、互いの端部が回転可能に接続された２本の上部ブレースロッドを含み、２本の前記上部ブレースロッドの他端がそれぞれ前記プッシュロッドの上部に回転可能に接続される。
【００２４】
上記技術案の適用により、本発明は従来技術と比べ、以下の利点を有する。本発明のベビーカーは、新規な構造及び折り畳み原理のベビーカーフレーム構造を採用することにより、片手でベビーカーフレームの展開及び折り畳み操作を１ステップで完了することができ、使用しやすい。それと同時に、折り畳まれた後のベビーカーフレームは、全体が平らで外観が整っており、体積が十分に小さく、搬送や持ち運びをしやすい。
【図面の簡単な説明】
【００２５】
【図１】実施例１のベビーカーの展開状態での斜視図である。
【図２】実施例１のベビーカーの展開状態での側面図である。
【図３】実施例１のベビーカーの半折り畳み状態での側面図である。
【図４】実施例１のベビーカーの折り畳み状態での側面図である。
【図５】実施例2のベビーカーの展開状態での斜視図である。
【図６】実施例２のベビーカーの展開状態での側面図である。
【図７】実施例２のベビーカーの半折り畳み状態での斜視図である。
【図８】実施例２のベビーカーの半折り畳み状態での側面図である。
【図９】実施例２のベビーカーの１次折り畳み状態後の斜視図である。
【図１０】実施例２のベビーカーの２次折り畳み状態後の側面図である。
【図１１】実施例３のベビーカーの展開状態での斜視図である。
【図１２】実施例３のベビーカーの展開状態での側面図である。
【図１３】実施例３のベビーカーの展開状態での側面図である。
【図１４】実施例３のベビーカーの半折り畳み状態での斜視図である。
【図１５】実施例３のベビーカーの半折り畳み状態での側面図である。
【図１６】実施例３のベビーカーの折り畳み状態での斜視図である。
【図１７】実施例３のベビーカーの折り畳み状態での側面図である。
【発明を実施するための形態】
【００２６】
以下、図面及び具体的な実施例を参照しながら本発明の技術案について更に説明する。
【００２７】
（実施例１）
【００２８】
図１〜図４に示すベビーカーを参照すると、ベビーカーは、展開状態及び折り畳み状態となるベビーカーフレーム、ベビーカーフレーム底部の前部に設けられた前輪アセンブリ３０、ベビーカーフレーム底部の後部に設けられた後輪アセンブリ４０、及びベビーカーフレームを展開状態にロックするためのロック機構を含み、該ベビーカーフレームは、左右両側にそれぞれ設けられた２つのサイドブラケット１００と、両側のサイドブラケット１００の間に接続された横ブレースアセンブリとを含む。
【００２９】
図１〜図３を参照すると、各側のサイドブラケット１００は、いずれもそれぞれが上下
方向に沿って延在する前部ブラケット１、後部ブラケット２、プッシュロッド３、及び上部支持ロッド４を含み、前部ブラケット１の上部、後部ブラケット２の上部及び上部支持ロッド４の下部という３つの部材のうちの２つの部材が回転可能に接続され、且つ、３つ目の部材が前述した２つの部材のうちの１つの部材に回転可能に接続され、あるいは、上記３つの部材が同一の回動中心線の回りに回転可能に接続されている。図１、図２に示すように、本実施例において、前部ブラケット１の上部は第１の軸１０１を介して後部ブラケット２の上部に回転可能に接続され、上部支持ロッド４の下部は第２の軸１０２を介して後部ブラケット２の上部に回転可能に接続され、第１の軸１０１と第２の軸１０２は互いに平行で且つそれぞれ後部ブラケット２の前後両側に設けられている。当然ながら、一部の実施例においては、第１の軸１０１と第２の軸１０２を、同一線上に延在するように設置し、上部支持ロッド４の上部とプッシュロッド３の下部とは第３の軸１０３を介して回転可能に接続されてもよい。
【００３０】
図１〜図３を参照すると、各側のサイドブラケット１００は、上部リンク５、後部リンク６、下部リンク７、及び後部ブラケット２の長手方向に沿って上下に摺動可能に後部ブラケット２に設けられたスライダ８をさらに含み、ここで、後部リンク６が上部支持ロッド４に回転可能に接続され、後部リンク６の一端がスライダ８に回転可能に接続され、且つ他端が上部リンク５の下部に回転可能に接続され、上部リンク５の上部がプッシュロッド３に回転可能に接続され、下部リンク７の一端が前部ブラケット１に回転可能に接続され、且つ他端がスライダ８に回転可能に接続され、このように、プッシュロッド３、上部支持ロッド４、上部リンク５及び後部リンク６の間は、４節リンク機構を構成し、後部リンク６、上部支持ロッド４、後部ブラケット２及びスライダ８の間は、第１のクランクスライド機構を構成し、且つ、前部ブラケット１、後部ブラケット２、下部リンク７及びスライダ８の間は、第２のクランクスライド機構を構成する。プッシュロッド３が上部支持ロッド４に対して回動すると、上記４節リンク機構と第１のクランクスライド機構と第２のクランクスライド機構における各ロッド部材を相対的に駆動して、ベビーカーフレームの展開または折り畳みを実現することができる。
【００３１】
具体的には、図１〜図３を参照すると、本実施例において、スライダ８は摺動ロッドを採用し、該摺動ロッド８は後部ブラケット２の長手方向に沿って摺動可能に後部ブラケット２の内側部に設けられ、これにより、摺動ロッド８は後部ブラケット２の長手方向に沿って上へ延出でき、且つ、後部ブラケット２と同じ長手方向に沿って延在し、または、下へ摺動して後部ブラケット２の内側に収納することができる。後部ブラケット２の該内側部には、摺動ロッド８のスライドガイドを提供するガイド構造が更に設けられ、ここでは、ガイドレール構造が採用される。
【００３２】
後部リンク６の中間部分は第４の軸１０４を介して上部支持ロッド４に回転可能に接続され、該第４の軸１０４は上部支持ロッド４の第２の軸１０２と第３の軸１０３との間に位置し、下部リンク７の前部は第５の軸１０５を介して前部ブラケット１に回転可能に接続され、該第５の軸１０５は前部ブラケット１の第１の軸１０１の下方に位置し、上部リンク５の上部は第６の軸１０６を介してプッシュロッド３に回転可能に接続され、該第６の軸１０６はプッシュロッド３の第３の軸１０３の上方に位置し、上部リンク５の下部は第７の軸１０７を介して後部リンク６の上部に回転可能に接続され、後部リンク６の下部は第８の軸１０８を介して摺動ロッド８の下部に回転可能に接続され、第７の軸１０７及び第８の軸１０８は後部リンク６の第４の軸１０４の上下両側にそれぞれ設けられ、下部リンク７の後部は第９の軸１０９を介して摺動ロッド８の下部に回転可能に接続され、上記第８の軸１０８及び第９の軸１０９が互いに平行である２本の軸であってもよく、同一線上に延在する１本または２本の軸であってもよい。
【００３３】
図１〜図３を参照すると、各側のサイドブラケット１００はサイドリンク９を更に含み
、サイドリンク９の一端が摺動ロッド８の上端部に回転可能に接続され、サイドリンク９の他端が相対的に回動したり、上部リンク５の長手方向に沿って上下に摺動可能に上部リンク５に接続されたりする。本実施例において、サイドリンク９と摺動ロッド８の上端部との間は第１０の軸１１０を介して回転可能に接続され、サイドリンク９の他端にリンクスライダ１０が回転可能に接続され、該リンクスライダ１０は上下に摺動可能に上部リンク５に設けられ、ベビーカーフレームが展開状態にある場合、第１０の軸１１０はリンクスライダ１０の前方に位置する。ここで、リンクスライダ１０は、摺動可能に上部リンク５にはめ込まれたスリーブを採用する。
【００３４】
ここで、サイドリンク９は、ほぼ前後方向に沿って延在する第１のサイドロッド９ａと、第１のサイドロッド９ａの前部から下へ傾斜して延在する第２のサイドロッド９ｂとを含み、第１のサイドロッド９ａの後部はリンクスライダ１０に回転可能に接続され、第２のサイドロッド９ｂの下部は上記第１０の軸１１０を介して摺動ロッド８の上端部に回転可能に接続される。両側の第１のサイドロッド９ａの前部の間にサイドクロスロッド９ｃが更に接続されることで、ベビーカーフレームが展開された場合、両側のサイドリンク９と該サイドクロスロッド９ｃとの間に手すりアセンブリが形成される。
【００３５】
各側のサイドブラケット１００は、シートポストアセンブリを更に含み、該シートポストアセンブリは前部シートポスト１１及び後部シートポスト１２を含み、前部シートポスト１１の前部は第１１の軸１１１を介して摺動ロッド８の上部またはサイドリンク９の下部に回転可能に接続され、該第１１の軸１１１と第１０の軸１１０は、互いに平行に設けられ、または本実施例に従って同軸上に設けられている。前部シートポスト１１の後部は第１２の軸１１２を介して後部シートポスト１２の前部に回転可能に接続され、後部シートポスト１２の後部は第１３の軸１１３を介して後部リンク６に回転可能に接続され、第１３の軸１１３は後部リンク６で第４の軸１０４の下方に位置する。
【００３６】
図１〜図４を参照すると、本実施例において、横ブレースアセンブリは、両側のサイドブラケット１００の間に固定された複数本の横ロッドであり、具体的には、横ブレースアセンブリは、両側の前部ブラケット１の下部の間に固定された前横ロッド２０１、両側の下部リンク７の間に固定された１本または複数本の下部横ロッド２０２、及び両側のプッシュロッド３の上部の間に固定された上部横ロッド２０３を含み、そのうち、両側の前部ブラケット１と前横ロッド２０１との間には上方に開口するＵ字型ロッドが一体成形され、両側のプッシュロッド３と上部横ロッド２０３との間には下方に開口するＵ字型ロッドが形成され、両側の下部リンク７の間に設けられた２本の下部横ロッド２０２と２つの下部リンク７との間には枠型構造が形成される。上記の横ブレースアセンブリは、ベビーカーフレームが展開された場合、両側のサイドブラケット１００の間に安定した横方向の支持を提供する。２つの前輪アセンブリ３０は前横ロッド２０１の下部に設けられ、２つの後輪アセンブリ４０はそれぞれ２つの後部ブラケット２の下部に設けられている。
【００３７】
図１、図２を参照すると、該ベビーカーのベビーカーフレームが展開された場合、前部ブラケット１及び後部ブラケット２は前後に展開され、前輪アセンブリ３０及び後輪アセンブリ４０により地面に支持され、各側のサイドブラケット１００において、摺動ロッド８は後部ブラケット２から上へ延出し、上部支持ロッド４は後上方へ傾斜して延在し、プッシュロッド３とほぼ同じ長手方向に位置する。後部リンク６は上部リンク５と摺動ロッド８との間に立ち、下部リンク７は前部ブラケット１と後部ブラケット２との間に支持され、サイドリンク９はベビーカーフレームの前部に展開され、シートアセンブリの前部シートポスト１１と後部シートポスト１２とは相対的に展開され、サイドリンク９と後部リンク６との間に支持される。
【００３８】
該ベビーカーフレームが折り畳まれると、図３に示すように、ロック機構をアンロック
した後、プッシュロッド３を押し下げると、プッシュロッド３は上部支持ロッド４に対して第３の軸１０３の回りに反転し、これにより、上部リンク５は後部リンク６に対して回動し、摺動ロッド８を後部ブラケット２に沿って下へ摺動させ、後部リンク６は、第２の軸１０２の回りに後部ブラケット２に対して下方へ反転して徐々に後部ブラケット２と共に収納されるように上部支持ロッド４を駆動する。それと同時に、下部リンク７は、前後方向に沿って徐々に収納されるように前部ブラケット１、後部ブラケット２を駆動する。上記各ロッド部材の相対的な動きの過程において、サイドリンク９は摺動ロッド８及びリンクスライダ１０の駆動で他のロッド部材と共に徐々に収納され、摺動ロッド８は相対的に折り返され、徐々にベビーカーフレームにおける他のロッド部材と共に収納されるように前部シートポスト１１及び後部シートポスト１２を駆動する。
【００３９】
該ベビーカーフレームが完全に折り畳まれた後、図４に示すように、２つの前輪アセンブリ３０は左右方向に沿って２つの後輪アセンブリ４０の間に収納され、前部ブラケット１、後部ブラケット２、上部支持ロッド４及びプッシュロッド３の間はほぼ平行で且つロッドの長さがほぼ同じであり、側面視で、折り畳まれた後のベビーカーフレームは、略直方体型の収納構造となり、ベビーカーフレームは、全体が平らでかさばらず、体積が十分に小さく、搬送や持ち運びをしやすい。この状態において、ベビーカーフレームは、上部支持ロッド４のプッシュロッド３に回転可能に接続された位置、前輪アセンブリ３０、及び後輪アセンブリ４０に依存して地面に支持され、折り畳まれた後の自立を実現することができる。
【００４０】
（実施例２）
【００４１】
図５〜図１０に示すベビーカーを参照すると、実施例１のベビーカーと比べ、主に以下の構造が調整されている。
【００４２】
（１）プッシュロッドを長さが伸縮調整可能な構造に設置し、具体的には、各側のプッシュロッド３はいずれも下部プッシュロッド３１と、下部プッシュロッド３１の長手方向に沿って摺動伸縮可能に下部プッシュロッド３１に接続された上部プッシュロッド３２とを含み、下部プッシュロッド３１の下部は第３の軸１０３を介して上部支持ロッド４の上部に回転可能に接続され、上部リンク５の上部は第６の軸１０６を介して下部プッシュロッド３１に回転可能に接続されている。
【００４３】
（２）各側のサイドブラケット１００において、サイドリンク９が円弧状となって後上方へ傾斜して延在する１本のロッド部材全体は手すりロッドとして使用でき、外観が整っている。後部リンク６の下部と摺動ロッド８とが回転可能に接続された第８の軸１０８と、下部リンク７の後部と摺動ロッド８とが回転可能に接続された第９の軸１０９とは同軸上に設けられ、後部ブラケット２の内側部において、摺動ロッド８のガイドを提供するガイドレール構造が設けられているほか、後部ブラケット２におけるその上部に近い位置に、摺動ロッド８のガイドを更に提供し、その摺動時の安定性を向上させるためのガイドスリーブ構造が更に設けられている。
【００４４】
（３）横ブレースアセンブリは、横方向に沿って反転して折り畳み可能に設けられている。具体的には、図５に示すように、該横ブレースアセンブリは両側の前部ブラケット１の間に設けられた第１の横ブレース２０４、両側の後部ブラケット２の間に設けられた第２の横ブレース２０５、及び両側のプッシュロッド３の間に設けられた第３の横ブレース２０６を含み、ここで、第１の横ブレース２０５はそれぞれ１−１軸２１１を介して両側の前部ブラケット１に回転可能に接続され、第２の横ブレース２０６はそれぞれ２−１軸２２１を介して両側の後部ブラケット２に回転可能に接続され、第３の横ブレース２０６はそれぞれ３−１軸２３１を介して両側のプッシュロッド３に回転可能に接続される。各
側の前部ブラケット１の底部には、いずれも１組の前輪アセンブリ３０が設けられ、各側の後部ブラケット２の底部には、いずれも１組の後輪アセンブリ４０が設けられている。ベビーカーフレームが展開状態にある場合、両側のサイドブラケット１００はそれぞれ展開され、上記第１の横ブレース２０４、第２の横ブレース２０５及び第３の横ブレース２０６は、横方向に沿って両側のサイドブラケット１００の間に支持され、左右方向の支持を提供する。両側のサイドブラケット１００における前部ブラケット１、後部ブラケット２、プッシュロッド３、上部支持ロッド４、上部リンク５、後部リンク６及び下部リンク７が共に収納され、サイドブラケット１００の折り畳みを完了させた後、図９に示すように、ベビーカーフレームは１次折り畳みを完了する。該状態において、同じ側の１−１軸２１１、２−１軸２２１及び３−１軸２３１は互いに平行でまたは同一線上に延在し、この場合、両側のサイドブラケット１００を左右方向に沿って横ブレースアセンブリに対して対向して反転させ、ベビーカーフレームの２次折り畳みを実現することができ、図１０に示すような構造が得られる。このように、ベビーカーフレームを更に横方向に折り畳み、占有空間を小さくして、搬送や持ち運びをしやすくすることができる。
【００４５】
（実施例３）
【００４６】
図１１〜図１７に示すベビーカーは、実施例２のベビーカーと比べ、主に横ブレースアセンブリの配置を変更し、該横ブレースアセンブリは左右方向に沿って折り畳み可能に両側のサイドブラケット１００の間に設けられ、且つ、サイドブラケット１００の各ロッド部材が相対的に回動して折り畳まれると同時に、左右方向に沿って折り畳まれ、両側のサイドブラケット１００を左右方向に沿って収納し、ベビーカーフレームの折り畳み体積を縮小することができる。
【００４７】
本実施例において、図１１、図１４に示すように、横ブレースアセンブリはそれぞれが左右方向に沿って展開及び収納できる底部ブレースロッドアセンブリ２０８、後部ブレースロッドアセンブリ２０７、及び上部ブレースロッドアセンブリ２０９を含み、そのうち、底部ブレースロッドアセンブリ２０８は両側の前部ブラケット１と両側の後部リンク６の下部との間に設けられ、または両側の前部ブラケット１と両側の摺動ロッド８の下部との間に設けられ、後部ブレースロッドアセンブリ２０７は両側の後部ブラケット２と両側の下部リンク７の後部との間に設けられ、または両側の後部ブラケット２と両側の摺動ロッド８の下部との間に設けられ、上部ブレースロッドアセンブリ２０９は両側のプッシュロッド３の上部の間に設けられている。具体的な配置は以下のとおりである。
【００４８】
図１１〜図１７に示すように、後部ブレースロッドアセンブリ２０７は後部十字形ブレースアセンブリであり、該後部十字形ブレースアセンブリは中間部分が回転可能に接続された２本の後部ブレースロッド２０７ａを含み、それぞれの後部ブレースロッド２０７ａの一端が回動可能に一方側の後部ブラケット２の上部に接続され、且つ他端が回動可能に他方側の下部リンク７の後部に接続され、下部リンク７の後部の後部ブレースロッド２０７ａに接続された位置は同時に摺動ロッド８の下部に接続されているため、後部ブレースロッド２０７ａの２つの端部の回動接続シートを取り付けやすくなる。
【００４９】
底部ブレースロッドアセンブリ２０８は、互いの端部がそれぞれ回転可能に接続された２組の第１のロッド２０８ａ及び第２のロッド２０８ｂを含み、２つの第１のロッド２０８ａの中間部分が回転可能に接続され、且つ２組の第２のロッド２０８ｂの中間部分が回転可能に接続され、２本の第１のロッド２０８ａの他端がそれぞれ回動可能に、右側のサイドブラケット１００の前部ブラケット１及び後部リンク６の下部に接続され、２本の第２のロッド２０８ｂの他端がそれぞれ回動可能に、左側のサイドブラケット１００の後部リンク６の下部及び前部ブラケット２に接続され、その内、第１のロッド２０８ａまたは第２のロッド２０８ｂは、回動可能に下部リンク７の前部の前部ブラケット１に接続する
ための位置に接続されることにより、前部ブラケット１との接続を実現し、第１のロッド２０８ａまたは第２のロッド２０８ｂの、後部リンク６の下端部と回動可能に接続された位置は、第９の軸１０９の下方に位置する。
【００５０】
上部ブレースロッドアセンブリ２０９は、互いの端部が回転可能に接続された２本の上部ブレースロッド２０９ａを含み、２本の上部ブレースロッド２０９ａの他端がそれぞれプッシュロッド３の上部に回転可能に接続される。
【００５１】
ベビーカーフレームが展開された場合、図１１〜図１３に示すように、両側のサイドブラケット１００はそれぞれ展開され、底部ブレースロッドアセンブリ２０８、後部ブレースロッドアセンブリ２０７及び上部ブレースロッドアセンブリ２０９は、ベビーカーフレームに左右方向の支持を提供するようにそれぞれ左右方向に沿って展開され、横方向に沿って両側のサイドブラケット１００の間に支持される。
【００５２】
ベビーカーフレームを折り畳む必要がある場合、図１４、１５に示すように、プッシュロッド３を押し下げ、上部支持ロッド４に対して回転させることにより、摺動ロッド８が後部ブラケット２に沿って下へ摺動して更に両側のサイドブラケット１００における各ロッド部材を相対的に回動させて、折り畳む過程においては、上部ブレースロッドアセンブリ２０９の２つの上部ブレースロッド２０９ａが相対的に回動して折り畳まれ、２つの後部ブレースロッド２０７ａが相対的に回動することにより、後部ブレースロッドアセンブリ２０７は徐々に左右方向に沿って収納され、２つの第１のロッド２０８ａと第２のロッド２０８ｂの間が相対的に回動することにより、底部ブレースロッドアセンブリ２０８も徐々に左右方向に沿って収納される。
【００５３】
最終的に、各側のサイドブラケット１００の各ロッド部材は、それぞれ回動して収納され、且つ、両側のサイドブラケット１００は左右方向に沿って収納され、図１６、１７に示すような構造を形成し、その構造も同様に平らでコンパクトであり、該ベビーカーは片手で折り畳むことができ、地面に自立でき、占有空間を小さくして、搬送や持ち運びをしやすい。
【００５４】
上記実施例は、技術思想及び特徴を説明するためのものに過ぎず、その目的は、当業者が本件開示の内容を理解して実施することができることであり、本件開示の内容の保護範囲を限定するものではない。本件開示の内容の趣旨に従って行われる同等の変形や変更は、いずれも本件開示の内容の保護範囲に含まれる。
【符号の説明】
【００５５】
１００    サイドブラケット
３０    前輪アセンブリ
４０    後輪アセンブリ
１    前部ブラケット
２    後部ブラケット
３    プッシュロッド
３１    下部プッシュロッド
３２    上部プッシュロッド
４    上部支持ロッド
５    上部リンク
６    後部リンク
７    下部リンク
８    スライダ（摺動ロッド）
９    サイドリンク
９ａ    第１のサイドロッド
９ｂ    第２のサイドロッド
９ｃ    サイドクロスロッド
１０    リンクスライダ（スリーブ）
１１    前部シートポスト
１２    後部シートポスト
２０１    前横ロッド
２０２    下部横ロッド
２０３    上部横ロッド
２０４    第１の横ブレース
２０５    第２の横ブレース
２０６    第３の横ブレース
２０７    後部ブレースロッドアセンブリ
２０７ａ    後部ブレースロッド
２０８    底部ブレースロッドアセンブリ
２０８ａ    第１のロッド
２０８ｂ    第２のロッド
２０９    上部ブレースロッドアセンブリ
２０９ａ    上部ブレースロッド
１０１    第１の軸
１０２    第２の軸
１０３    第３の軸
１０４    第４の軸
１０５    第５の軸
１０６    第６の軸
１０７    第７の軸
１０８    第８の軸
１０９    第９の軸
１１０    第１０の軸
１１１    第１１の軸
１１２    第１２の軸
１１３    第１３の軸
２１１    １−１軸
２２１    ２−１軸
２３１    ３−１軸
【図１】
0006817470.tif 000002
【図２】
0006817470.tif 000003
【図３】
0006817470.tif 000004
【図４】
0006817470.tif 000005
【図５】
0006817470.tif 000006
【図６】
0006817470.tif 000007
【図７】
0006817470.tif 000008
【図８】
0006817470.tif 000009
【図９】
0006817470.tif 000010
【図１０】
0006817470.tif 000011
【図１１】
0006817470.tif 000012
【図１２】
0006817470.tif 000013
【図１３】
0006817470.tif 000014
【図１４】
0006817470.tif 000015
【図１５】
0006817470.tif 000016
【図１６】
0006817470.tif 000017
【図１７】
0006817470.tif 000018